(57)【要約】      （修正有）【課題】収納性および携帯性に優れた、携帯用組立式看板を提供する。【解決手段】表示部と、表示部を支える支持具３とを有し、表示部を可撓性を有する材料とし、表示部の上端及び下端が上表示部固定具２ａ及び下表示部固定具２ｂにより取替え可能に固定され、上表示部固定具が支持具の上端に配設された上表示部固定具保持手段により着脱可能に保持され、かつ下表示部固定具が支持具の中央近傍に配設された止め具２ｂ３により着脱可能に固定される。支持具は、伸縮自在な棒状体で、また下端に差し込み用孔３ｃを有することが好ましい。これにより、使用時には広告・宣伝等の所期の目的を十分に達成でき、収納時にはコンパクト化でき、携帯性も向上する。【選択図】図２
2005308984.tif 000002
【特許請求の範囲】
【請求項１】
表示部と、該表示部を支える支持具とを有する携帯用看板であって、前記表示部を可撓性を有する材料とし、該表示部の上端及び下端が上表示部固定具及び下表示部固定具により取替え可能に固定され、さらに前記上表示部固定具が前記支持具の上端に配設された上表示部固定具保持手段により着脱可能に保持され、かつ前記下表示部固定具が前記支持具の中央近傍に配設された止め具により着脱可能に固定されてなることを特徴とする携帯用組立式看板。
【請求項２】
前記支持具が、伸縮自在に構成されたことを特徴とする請求項１に記載の携帯用組立式看板。
【請求項３】
前記支持具が、棒状体であることを特徴とする請求項２に記載の携帯用組立式看板。
【請求項４】
前記支持具が、下端に差し込み用孔を有することを特徴とする請求項１ないし３のいずれかに記載の携帯用組立式看板。
【請求項５】
前記表示部を２枚の用紙とし、前記上表示部固定具を一個とし、前記２枚の用紙の一端を一緒に前記上表示部固定具に取替え可能に固定し、一方、前記下表示固定具を２個とし、前記２枚の用紙の他端それぞれを該２個の下表示固定具に取替え可能に固定し、該２個の下表示固定具を前記支持具を挟むように前記止め具により着脱可能に前記支持具に固定してなることを特徴とする請求項１ないし４のいずれかに記載の携帯用組立式看板。
【発明の詳細な説明】
【技術分野】
【０００１】
本発明は、手持ち式看板、いわゆるプラカードに係り、とくにプラカードの収納性、携帯性の向上に関する。
【背景技術】
【０００２】
プラカードは、街頭における広告・宣伝用として、あるいは各種イベント、大会での案内用等として、従来から広く利用されている。従来のプラカードは、表示部である面板に手持ち棒（支持棒）を取り付けた形式のものがほとんどであった。支持棒の取り付け位置を取り替え可能とし、表示内容を縦長、あるいは横長と表示内容によって使い分けることができるようにしたものなど、多少の改良はあるものの、大きな面板を用いる形式のプラカードが依然として主流であることには変りがない。
【発明の開示】
【発明が解決しようとする課題】
【０００３】
しかし、上記したような従来形式のプラカードでは表示部である面板が大きくかつ変形しないため嵩張り、収納時には多大のスペースを必要とし、また移動時には携帯に不便であった。
【０００４】
本発明は、こうした従来のプラカードの問題点を有利に解決し、使用時には所望の大きさの表示面を確保でき、収納時や移動時にはコンパクトな形態に格納することができる、収納性および携帯性に優れた、携帯用組立式看板を提供することを目的とする。
【課題を解決するための手段】
【０００５】
本発明者らは、上記した課題を達成するために、収納性および携帯性向上の観点からプラカードの構造について鋭意検討した。その結果、表示部を変形できない面板から、使用時以外は丸めることができるように、紙等の可撓性を有する材料にすることがよいことに思い至った。またさらに、表示部を支持する支持具を伸縮自在な棒状体とすることがよいことを思い付いた。
【０００６】
本発明は、上記した知見に基づき、さらに検討を加えて完成されたものである。
【０００７】
すなわち、本発明は、表示部と、該表示部を支える支持具とを有する携帯用看板であって、前記表示部を可撓性を有する材料とし、該表示部の上端及び下端が上表示部固定具及び下表示部固定具により取替え可能に固定され、さらに前記上表示部固定具が前記支持具の上端に配設された上表示部固定具保持手段により着脱可能に保持され、かつ前記下表示部固定具が前記支持具の中央近傍に配設された止め具により着脱可能に固定されてなることを特徴とする携帯用組立式看板であり、また、本発明では、前記支持具が、伸縮自在に構成されることが好ましく、また、本発明では、前記支持具が、棒状体であることが好ましく、また、本発明では、前記支持具が、下端に差し込み用孔を有することが好ましい。また、本発明では、前記表示部を２枚の用紙とし、前記上表示部固定具を一個とし、前記２枚の用紙の一端を一緒に前記上表示部固定具に取替え可能に固定し、一方、前記下表示固定具を２個とし、前記２枚の用紙の他端それぞれを該２個の下表示固定具に取替え可能に固定し、該２個の下表示固定具を前記支持具を挟むように前記止め具により着脱可能に前記支持具に固定することが好ましい。
【発明の効果】
【０００８】
本発明によれば、使用時には表示部を所定の大きさの面状とすることができ、看板としての効果を十二分に発揮し、移動時や収納時には、小さくコンパクトな形態になり、収納および携帯が容易になるという効果がある。また、本発明によれば、表示部の大きさを要望に応じ任意に設定できるという効果もある。また、表示部が容易に差し替え可能であり、既成のポスター等をメッセージ等としてそのまま利用でき、新たに表示部を作製する手間を省けるという効果もある。また、２枚の用紙を用いることもでき、裏と表で異なるメッセージ等を容易に表示できるという効果もある。
【発明を実施するための最良の形態】
【０００９】
本発明は、図１に示すような、表示部1と、表示部1の上下端を取替え可能に固定する上表示部固定具2a及び下表示部固定具2bと、上表示部固定具2aを着脱可能に支持できる支持具３とを有する組立式看板である。
【００１０】
本発明では、表示部１は可撓性を有する材料を用いて構成する。これにより、使用時以外は丸めるなどして容易に収納又は携帯することができ、収納性及び携帯性が向上する。表示部は、可撓性を有し、表面に必要なメッセージ等が記載可能な材料であれば特に限定されないが、紙、布、プラスチック、化学合成紙等とすることが好ましい。例えば、紙を利用した場合には、紙のおもて面に、必要なメッセージ等の語句、図柄等を、印刷、手書き等により表示する。
【００１１】
上又は下表示部固定具2a、2bは、表示部の上端又は下端を差し替え可能に固定できる構造を有する。例えば、図１に示すように、Ｕ型断面を有し、表示部の上端1a又は下端1bをＵ溝中にスライドさせて差込み、固定できる構造とすることが好ましい。これにより、既存のポスター等を利用することもできる。なお、上又は下表示部固定具は、表示部の上端又は下端を差し込み、取替え可能に固定できる材料であれば、とくに限定されないが、スライドさせて差込むことが容易なように、多少の弾性を有するプラスチック製、あるいはスチール製とすることが好ましい。市販のクリップ等を利用してもよいことは言うまでもない。
【００１２】
支持具３は、上端に、上表示部固定具2aを着脱可能に挟み、該上表示部固定具2aを支持できる表示部固定具保持手段3aを配設した構造とする。表示部固定具保持手段3aは、例えば図１に示すように、断面がＵ型を呈し、そのＵ型部分の中央部に上表示部固定具2aを差込み、着脱可能に固定できる構造を有することが好ましい。
【００１３】
また、支持具３の中央部付近には下表示部固定具2bを固定する止め具3bが配設される。止め具3bは、着脱が可能な、マジックテープ、ホック、マグネット、クリップ等とすることが好ましい。これにより、容易に下表示部固定具2bを着脱可能に固定できる。なお、下表示部固定具2bの中央部付近には、マジックテープ、ホック、マグネット等の止め具3bと同種の止め具2b3を設け、止め具3bとにより下表示部固定具2bを着脱可能に固定する。これにより、表示部が風等により動くことを防止でき、表示部１を所望の大きさに安定して広げることができる。
【００１４】
また、支持具３は、長さ固定治具3dを有し、長さ方向に伸縮自在で、かつ任意の長さに固定自在の構造とすることが好ましい。これにより、看板（プラカード）を任意の高さに調節して支持できるとともに、表示部の大きさ（上下方向長さ）を一定範囲内で任意に変更可能とすることができるようになる。また、支持具の形状は、とくに限定する必要はないが、手持ち性、収納性、携帯性の観点からは棒状体、とくに丸棒状体とすることがより好ましい。支持具３の材質はとくに限定する必要はないが、携帯に有利なように、軽量な、プラスチックス管製あるいは鋼管製とすることが好ましい。なお、支持具３は、市販の伸縮式ひっかけ棒等を転用してもなんら問題はない。
【００１５】
また、支持具３の他端には、差し込み用孔3cを有することが好ましい。差し込み用孔3cに、傘の先端を差込むことにより、雨の日も濡れることなくプラカードを支持することができる。また、差し込み用孔3cに、例えば、固定用のスタンドの先端を差込み、固定した看板とすることもできる。なお、支持具３には、手持ちする際に便利なように握り部3eを有することが好ましい。
【００１６】
つぎに、一実施例として、図２に基づいて、表示部を２枚の用紙（例えば、画用紙）を用いた場合を例にとり、本発明の組立式看板の構造についてさらに説明する。
【００１７】
表示部１である、二枚の用紙11、12を用意する。用紙11、12のおもて面には、メッセージ、図柄等が描かれていることは言うまでもない。なお、用紙の上端11a、12a、下端11b、12bはそれぞれ、予め折り曲げたのち動かないように固定するなどして、厚さと剛性を持たせておくことが好ましい。
【００１８】
用意された二枚の用紙11、12のおもて面同士を合わせて重ね、二枚の用紙11,12の上端11a、12aを一緒に上表示部固定具2aに差し込む。一方、二枚の用紙11、12の下端11b、12bはそれぞれ、同様に下表示部保持具2b1、2b2に差し込む。
【００１９】
ついで、上表示部固定具2aの中央部分に、支持具３の上端に設けられた表示部固定具保持手段3aを差込む（図２（ａ））。ついで、２枚の用紙11、12のおもて面が見えるように、下表示部固定具2b1、2b2を移動し、支持具３を挟むようにして止め具3bで固定する（図２（ｂ））。止め具3bの位置は、支持具３の伸縮・固定自在機構を利用して、下表示部固定具2b1、2b2の位置に一致するように調整する。
【００２０】
このようにして、裏と表にメッセージ等を表示した携帯用組立式看板が完成する（図２（ｃ））。使用後は、上記した手順を逆に行い、看板を解体することができる。解体後は、袋等に収納し、移動又は保管することが好ましい。
【００２１】
なお、ここでは、２枚の用紙を用いた例を説明したが、本発明はこれに限定されるものではなく、表示部として１枚の用紙を用いてもよいことは言うまでもない。表示部として、１枚の用紙を用いる場合は、下表示部固定具2bを１個とする以外は、上記した用紙を２枚用いる場合と同様である。
【図面の簡単な説明】
【００２２】
【図１】本発明の構成を模式的に示す説明図である。
【図２】本発明の一実施例を模式的にしめす説明図である。
【符号の説明】
【００２３】
１  表示部
1a  表示部の上端
1b  表示部の下端
2a  上表示部固定具
2b、2b1、2b2  下表示部固定具
2b3  止め具
３  支持具
3a  上表示部固定具保持手段
3b  止め具
3c  差し込み用孔
3d  長さ固定治具
3e  握り部
11、12  用紙
11a、12a  用紙の上端
11b、12b  用紙の下端
【図１】
2005308984.tif 000003
【図２】
2005308984.tif 000004